(57)【特許請求の範囲】
【請求項１】
測定対象を取り囲むように配置された状態において当該測定対象についての被検出量を検出するロゴスキーコイルと、当該ロゴスキーコイルの基端部に取り付けられて当該ロゴスキーコイルの先端部と当該基端部との連結および連結解除を行うための連結機構とを備えたフレキシブルセンサであって、
前記先端部から前方に向けて照明用の光を放射する第１光放射部を備えているフレキシブルセンサ。
【請求項２】
前記第１光放射部は、前記連結機構に配設された光源と、当該光源と前記先端部との間に配設されて前記光源からの前記照明用の光を当該先端部に誘導する光ファイバとを備えて構成されている請求項１記載のフレキシブルセンサ。
【請求項３】
前記第１光放射部は、前記先端部に配設された光源と、当該光源に対して電源を供給する電源線とを備えて構成されている請求項１記載のフレキシブルセンサ。
【請求項４】
前記ロゴスキーコイルの前記基端部側および前記連結機構の少なくとも一方から前記照明用の光を放射する第２光放射部を備えている請求項１から３のいずれかに記載のフレキシブルセンサ。
【請求項５】
前記ロゴスキーコイルにおける長さ方向の予め決められた範囲の外周面から側方に向けて前記照明用の光を放射する第３光放射部を備えている請求項１から４のいずれかに記載のフレキシブルセンサ。
【請求項６】
前記ロゴスキーコイルにおける前記先端部と前記基端部とが連結解除されているときに前記第１光放射部に前記照明用の光を放射させ、前記先端部と前記基端部とが連結されているときに前記第１光放射部による前記照明用の光の放射を停止させる切替部を備えている請求項１から５のいずれかに記載のフレキシブルセンサ。
【請求項７】
請求項１から６のいずれかに記載のフレキシブルセンサと、当該フレキシブルセンサによって検出された前記被検出量に基づいて前記測定対象についての被測定量を測定する測定部とを備えている測定装置。
【発明の詳細な説明】
【技術分野】
【０００１】
本発明は、測定対象を取り囲むように配置された状態において測定対象についての被検出量を検出するフレキシブルセンサ、およびそのフレキシブルセンサを備えた測定装置に関するものである。
【背景技術】
【０００２】
この種のフレキシブルセンサとして、下記特許文献１に開示された電流検出器が知られている。この電流検出器は、被測定電流線の周囲に巻き付ける検出部と、検出部の各端部（基端部および先端部）を接合した状態に保持する保持部材と、検出部の出力線に接続されて出力信号を処理する信号処理部とを備え、被測定電流線に流れる電流を検出可能に構成されている。この場合、保持部材は、凹状の係合部を有して検出部の基端部に固着されたソケット形保持部材と、凸状の係合部を有して検出部の先端部に固着されたプラグ形保持部材とを備え、ソケット形保持部材における凹状の係合部とプラグ形保持部材における凸状の係合部とが係合することにより、検出部の各端部同士を接合するように構成されている。
【先行技術文献】
【特許文献】
【０００３】
【特許文献１】特開２００６−３２９８２６号公報（第３−４頁、第２図）
【発明の概要】
【発明が解決しようとする課題】
【０００４】
ところが、上記の電流検出器には、改善すべき以下の課題がある。すなわち、この電流検出器を含むこの種の電流検出器を用いて被測定電流線に流れる電流を検出する際には、検出部の先端部に固着されているプラグ形保持部材を検出部の基端部に固着されているソケット形保持部材から取り外して、被測定電流線の周囲に検出部を巻き付け、次いで、各保持部材同士を係合させる。この場合、測定現場に照明が設置されていなかったり、設置されていたとしても照明光が照射されない位置に被測定電流線が配置されていたりするときには、被測定電流線に検出部を巻き付ける作業がし難いことがある。このため、このような測定現場で測定を行う際には、懐中電灯やヘッドライトを用いて配置位置を照らしつつ、検出部を巻き付ける作業や各保持部材同士を係合させる作業を行う必要があり、測定作業が煩雑でかつ効率が悪いという課題が存在する。
【０００５】
本発明は、かかる課題に鑑みてなされたものであり、測定作業を効率よく、しかも容易に行い得るフレキシブルセンサおよび測定装置を提供することを主目的とする。
【課題を解決するための手段】
【０００６】
上記目的を達成すべく請求項１記載のフレキシブルセンサは、測定対象を取り囲むように配置された状態において当該測定対象についての被検出量を検出するロゴスキーコイルと、当該ロゴスキーコイルの基端部に取り付けられて当該ロゴスキーコイルの先端部と当該基端部との連結および連結解除を行うための連結機構とを備えたフレキシブルセンサであって、前記先端部から前方に向けて照明用の光を放射する第１光放射部を備えている。
【０００７】
また、請求項２記載のフレキシブルセンサは、請求項１記載のフレキシブルセンサにおいて、前記第１光放射部は、前記連結機構に配設された光源と、当該光源と前記先端部との間に配設されて前記光源からの前記照明用の光を当該先端部に誘導する光ファイバとを備えて構成されている。
【０００８】
また、請求項３記載のフレキシブルセンサは、請求項１記載のフレキシブルセンサにおいて、前記第１光放射部は、前記先端部に配設された光源と、当該光源に対して電源を供給する電源線とを備えて構成されている。
【０００９】
また、請求項４記載のフレキシブルセンサは、請求項１から３のいずれかに記載のフレキシブルセンサにおいて、前記ロゴスキーコイルの前記基端部側および前記連結機構の少なくとも一方から前記照明用の光を放射する第２光放射部を備えている。
【００１０】
また、請求項５記載のフレキシブルセンサは、請求項１から４のいずれかに記載のフレキシブルセンサにおいて、前記ロゴスキーコイルにおける長さ方向の予め決められた範囲の外周面から側方に向けて前記照明用の光を放射する第３光放射部を備えている。
【００１１】
また、請求項６記載のフレキシブルセンサは、請求項１から５のいずれかに記載のフレキシブルセンサにおいて、前記ロゴスキーコイルにおける前記先端部と前記基端部とが連結解除されているときに前記第１光放射部に前記照明用の光を放射させ、前記先端部と前記基端部とが連結されているときに前記第１光放射部による前記照明用の光の放射を停止させる切替部を備えている。
【００１２】
また、請求項７記載の測定装置は、請求項１から６のいずれかに記載のフレキシブルセンサと、当該フレキシブルセンサによって検出された前記被検出量に基づいて前記測定対象についての被測定量を測定する測定部とを備えている。
【発明の効果】
【００１３】
請求項１記載のフレキシブルセンサ、および請求項７記載の測定装置によれば、ロゴスキーコイルの先端部から前方に向けて照明用の光を放射する第１光放射部を備えたことにより、測定対象の配置場所が暗い場合においても、放射される照明用の光によって測定対象や測定対象の周囲が確実に照らされる結果、測定対象の配置状態を確実に把握することができる。また、このフレキシブルセンサおよび測定装置によれば、測定対象の測定対象に隣接して他の測定対象が配置されている場合において、隣接する他の測定対象をかき分けつつ、他の測定対象との間に先端部を通す際に、先端部から放射される照明用の光によって先端部の位置を容易に把握することができる。したがって、このフレキシブルセンサおよび測定装置によれば、測定対象の周囲をロゴスキーコイルで取り囲む作業を効率よく、しかも容易に行うことができる。
【００１４】
また、請求項２記載のフレキシブルセンサ、および請求項７記載の測定装置によれば、連結機構に配設された光源と、光源と先端部との間に配設されて光源からの照明用の光を先端部に誘導する光ファイバとを備えて第１光放射部を構成したことにより、例えば、ロゴスキーコイルの先端部に光源を配設するスペースが確保できない場合（つまり、ロゴスキーコイルの先端部が小形の場合）においても、連結機構に配設した光源からの照明用の光を先端部から前方に向けて放射させることができる。したがって、このフレキシブルセンサおよび測定装置によれば、ロゴスキーコイルの先端部が小形の場合においても、測定対象の周囲をロゴスキーコイルで取り囲む作業を効率よく、しかも容易に行うことができる。
【００１５】
また、請求項３記載のフレキシブルセンサ、および請求項７記載の測定装置によれば、先端部に配設された光源と、光源に対して電源を供給する電源線とを備えて第１光放射部を構成したことにより、光ファイバをロゴスキーコイルの内部に配設することなく、光ファイバよりも細い電源線をロゴスキーコイルの内部に配設する構成のため、ロゴスキーコイルが細く、光ファイバをロゴスキーコイルの内部に配設するのが困難な場合においても、ロゴスキーコイルの先端部に配設された光源を発光させて照明用の光を先端部から前方に向けて放射させることができる。したがって、このフレキシブルセンサおよび測定装置によれば、ロゴスキーコイルが細い場合においても、測定対象の周囲をロゴスキーコイルで取り囲む作業を効率よく、しかも容易に行うことができる。
【００１６】
また、請求項４記載のフレキシブルセンサ、および請求項７記載の測定装置によれば、ロゴスキーコイルの基端部側および連結機構の少なくとも一方から照明用の光を放射する第２光放射部を備えたことにより、測定対象の配置場所が暗い場合においても、第２光放射部から放射される照明用の光によってロゴスキーコイルの基端部側や連結機構の位置を確実に把握することができるため、ロゴスキーコイルの基端部と先端部との連結や連結解除を容易に行うことができる。
【００１７】
また、請求項５記載のフレキシブルセンサ、および請求項７記載の測定装置によれば、ロゴスキーコイルにおける長さ方向の予め決められた範囲の外周面から側方に向けて照明用の光を放射する第３光放射部を備えたことにより、測定対象の配置場所が暗い場合においても、ロゴスキーコイルの位置を確実に把握することができる。また、測定対象に隣接して他の測定対象が配置されている（複数の測定対象が入り組んでいる）場合において、ロゴスキーコイルがどこを通っているかを確実に把握することができる。したがって、このフレキシブルセンサおよび測定装置によれば、測定対象の周囲をロゴスキーコイルで取り囲む作業をさらに効率よく、しかもさらに容易に行うことができる。
【００１８】
また、請求項６記載のフレキシブルセンサ、および請求項７記載の測定装置によれば、ロゴスキーコイルにおける先端部と基端部とが連結解除されているときに第１光放射部に照明用の光を放射させ、先端部と基端部とが連結されているときに第１光放射部による照明用の光の放射を停止させる切替部を備えたことにより、フレキシブルセンサ（第１光放射部）の消費電力を十分に低減させることができる。また、このフレキシブルセンサおよび測定装置によれば、例えば、ロゴスキーコイル内に配設された電源線を介してロゴスキーコイルの先端部に配設された光源を発光させるように第１光放射部が構成されている場合において、ロゴスキーコイルの基端部と先端部とが連結してロゴスキーコイルによる被検出量の検出が開始されるときに、ロゴスキーコイル内に配設された電源線を介して光源に対して電源が供給されることによる被検出量の検出に対するノイズ等の影響を確実に回避することができる。
【図面の簡単な説明】
【００１９】
【図１】測定装置１００の構成を示す構成図である。
【図２】嵌合部材２１および光放射部４の構成を示す斜視図である。
【図３】連結機構３および光放射部４の構成を示す平面図である。
【図４】測定装置１００の使用方法を説明する第１の説明図である。
【図５】測定装置１００の使用方法を説明する第２の説明図である。
【図６】測定装置１００の使用方法を説明する第３の説明図である。
【図７】フレキシブルセンサ１Ａにおける光放射部４Ａ（センサケーブル２の先端部２ｂ側）の構成を示す斜視図である。
【図８】フレキシブルセンサ１Ａにおける連結機構３（センサケーブル２の基端部２ａ側）の構成を示す平面図である。
【図９】光放射部７の構成を説明する説明図である。
【発明を実施するための形態】
【００２０】
以下、フレキシブルセンサおよび測定装置の実施の形態について、添付図面を参照して説明する。
【００２１】
最初に、測定装置の一例としての図１に示す測定装置１００の構成について説明する。測定装置１００は、同図に示すように、フレキシブルセンサ１および測定部６０を備えて、測定対象（一例として、図４に示す電線２００）についての被測定量（例えば、電線２００を流れる電流）を測定可能に構成されている。
【００２２】
フレキシブルセンサ１は、フレキシブルセンサの一例であって、図１に示すように、センサケーブル２、連結機構３および光放射部４（第１光放射部に相当する）を備えて構成されている。
【００２３】
センサケーブル２は、一例として、コイル支持体の周囲に絶縁導線（いずれも図示せず）を巻回して形成した柔軟性を有するロゴスキーコイルで構成されて、測定対象としての電線２００を取り囲むように配置された状態において（図６参照）、電線２００についての被検出量（例えば、電線２００を流れる電流によって生じる磁界）を検出して電気信号を出力する。
【００２４】
また、センサケーブル２の先端部２ｂには、図１，２に示すように、連結機構３の嵌合部３１（図３参照）との嵌合が可能な嵌合部材２１が取り付けられている。この場合、嵌合部材２１は、図２に示すように、先端部２１ａが閉塞され、基端部２１ｂが開口する略円筒状に構成されている。この嵌合部材２１の内部では、基端部２１ｂの開口部から内部に挿入されたセンサケーブル２の先端部２ｂと嵌合部材２１の先端部２１ａとが固定される。また、嵌合部材２１の先端面２１ｃには、嵌め込み孔２１ｄが形成され、この嵌め込み孔２１ｄには、光放射部４における後述するレンズ４４が嵌め込まれている。
【００２５】
連結機構３は、センサケーブル２の基端部２ａと先端部２ｂとの連結および連結解除を行うための機構であって、図１に示すように、略円筒状に構成されてセンサケーブル２の基端部２ａに取り付けられている。また、連結機構３は、図３に示すように、嵌合部材２１を挿入可能に形成されて挿入状態の嵌合部材２１と嵌合する嵌合部３１と、嵌合部材２１と嵌合部３１との離反を規制する（嵌合状態を維持させる）ロック部３２とを備えて構成されている。
【００２６】
また、連結機構３の内部には、図３に示すように、光放射部４における後述する光源４１およびレンズ４３が配設されている。また、連結機構３には、図１，３に示すように、測定部６０に接続されるケーブル５０が配設されている。このケーブル５０は、センサケーブル２を構成する絶縁導線に接続されてセンサケーブル２から出力された電気信号を測定装置に入力させるための信号線、および連結機構３の内部に配設されている光源４１に対して電源を供給するための電源線を備えて構成されている。
【００２７】
光放射部４は、図４に示すように、センサケーブル２の先端部２ｂ（嵌合部材２１）から前方に向けて光Ｌを放射可能に構成されている。具体的には、光放射部４は、図２，３に示すように、光源４１、ライトガイド４２、レンズ４３，４４を備えて構成されている。光源４１は、一例として、ＬＥＤで構成されて、図３に示すように、連結機構３内に配設されている。また、光源４１は、ケーブル５０の電源線を介して外部装置（ケーブル５０が接続される測定装置）から供給される電源によって発光して光Ｌを発する。
【００２８】
ライトガイド４２は、一例として、複数の光ファイバを束ねたバンドルファイバで構成されて、図２，３に示すように、センサケーブル２内に配設されている。また、ライトガイド４２は、基端部４２ａが連結機構３内における光源４１の近傍に位置し（図３参照）、先端部４２ｂが嵌合部材２１の先端面２１ｃの近傍に位置するように（図２参照）配置されて、光源４１からの光Ｌを基端部４２ａから先端部４２ｂに（つまり、センサケーブル２の基端部２ａから先端部２ｂに）誘導する。
【００２９】
レンズ４３は、図３に示すように、ライトガイド４２の基端部４２ａに取り付けられて、連結機構３内における光源４１の近傍に配置されている。この場合、レンズ４３は、集光用のレンズであって、光源４１からの光Ｌをライトガイド４２の基端部４２ａに向けて集光する。
【００３０】
レンズ４４は、図２に示すように、ライトガイド４２の先端部４２ｂに取り付けられて、嵌合部材２１の先端面２１ｃに形成されている嵌め込み孔２１ｄに嵌め込まれている。この場合、レンズ４４は、拡散用のレンズであって、ライトガイド４２の基端部４２ａから先端部４２ｂに誘導された光源４１からの光Ｌを、センサケーブル２の先端部２ｂ（先端部２ｂに取り付けられている嵌合部材２１の先端部２１ａ）から前方に向けて拡散させつつ放射させる。
【００３１】
測定部６０は、フレキシブルセンサ１（センサケーブル２）によって検出された被検出量（電線２００を流れる電流によって生じる磁界）に基づいて電線２００（測定対象）についての被測定量（電線２００を流れる電流）を測定する。
【００３２】
次に、測定装置１００を用いて測定対象についての被測定量を測定する方法について、図面を参照して説明する。
【００３３】
この測定装置１００を用いて、図４に示す複数（同図では、３本）の電線２００の１つ（例えば、同図において真ん中に位置する電線２００）を測定対象として、その電線２００に流れる被測定量としての電流を測定する際には、まず、フレキシブルセンサ１のケーブル５０を測定部６０に接続する。
【００３４】
次いで、図外の操作部を操作して、光放射部４の光源４１に対する電源の出力を開始させる。この場合、図外の電源部から出力された電源が、ケーブル５０の電源線を介して光源４１に供給され、光源４１が発光して光Ｌを発する。この際に、光源４１からの光Ｌが、光放射部４のレンズ４３によってライトガイド４２の基端部４２ａに向けて集光される。次いで、レンズ４３によってライトガイド４２の基端部４２ａに集光された光Ｌが、ライトガイド４２の先端部４２ｂに誘導される。
【００３５】
また、図４に示すように、センサケーブル２の先端部２ｂに取り付けられている嵌合部材２１と連結機構３の嵌合部３１との嵌合（センサケーブル２の基端部２ａと先端部２ｂとの連結）を解除して、嵌合部材２１を連結機構３から離反させた連結解除状態では、ライトガイド４２の先端部４２ｂに誘導された光Ｌが、レンズ４４によって拡散されつつセンサケーブル２の先端部２ｂ（嵌合部材２１の先端部２１ａ）から前方に向けて放射される。
【００３６】
続いて、連結解除状態のセンサケーブル２の先端部２ｂ側（または、嵌合部材２１）を掴んで、測定対象の電線２００の周囲をセンサケーブル２で取り囲む。ここで、この状態では、図４に示すように、センサケーブル２の先端部２ｂから前方に向けて光Ｌが放射されている。このため、このフレキシブルセンサ１では、測定現場に照明が設置されていなかったり、設置されていたとしても照明光が照射されない位置に電線２００が配置されていたりして、電線２００の配置場所が暗い場合においても、センサケーブル２の先端部２ｂから放射される光Ｌによって電線２００や電線２００の周囲が確実に照らされる結果、懐中電灯やヘッドライトを用いることなく、電線２００の配置状態（電線２００の位置や形状、および周囲の障害物の有無）を確実に把握することが可能となっている。また、このフレキシブルセンサ１では、同図に示すように、測定対象の電線２００に隣接して他の（測定対象以外の）電線２００が配置されている場合において、隣接する他の電線２００をかき分けつつ、他の電線２００との間に先端部２ｂを通す際に、先端部２ｂから放射される光Ｌによって先端部２ｂの位置を容易に把握することが可能となっている。したがって、このフレキシブルセンサ１では、図５に示すように、電線２００の周囲をセンサケーブル２で取り囲む作業を効率よく、しかも容易に行うことが可能となっている。
【００３７】
次いで、図５，６に示すように、電線２００の周囲を取り囲んだセンサケーブル２の先端部２ｂに取り付けられている嵌合部材２１を連結機構３の嵌合部３１に挿入して、嵌合部材２１と嵌合部３１とを嵌合させる。この際に、センサケーブル２の基端部２ａの端面と、先端部２ｂの端面とが近接した状態で、基端部２ａおよび先端部２ｂが連結される。続いて、ロック部３２を操作して、嵌合部材２１と嵌合部３１との離反を規制する（基端部２ａおよび先端部２ｂの連結状態を維持させる）。
【００３８】
一方、電線２００の周囲を取り囲んだ状態で基端部２ａと先端部２ｂとが連結されたセンサケーブル２は、電線２００を流れる電流によって生じる磁界を検出して、磁界強度（つまり、電線２００を流れる電流の大きさ）に応じた電気信号を出力する。
【００３９】
次いで、操作部を操作して電流の測定を指示する。これに応じて、測定部６０が、フレキシブルセンサ１（センサケーブル２）から出力される電気信号を、ケーブル５０の信号線を介して入力し、その電気信号に基づいて電線２００に流れる電流の値を測定する。
【００４０】
続いて、測定が終了して、フレキシブルセンサ１を電線２００から取り外す（電線２００を取り囲んだ状態を解除する）ときには、連結機構３のロック部３２を操作して、嵌合部材２１と嵌合部３１との離反の規制を解除（基端部２ａおよび先端部２ｂの連結状態を解除させる）。次いで、嵌合部材２１を嵌合部３１から引き抜く。
【００４１】
続いて、電線２００からセンサケーブル２を取り外す。以上により、電線２００に流れる電流の測定が終了する。次いで、他の電線２００に流れる電流を測定する際には、上記した手順を繰り返して行う。
【００４２】
このように、このフレキシブルセンサ１および測定装置１００によれば、センサケーブル２の先端部２ｂから前方に向けて光Ｌを放射する光放射部４を備えたことにより、電線２００の配置場所が暗い場合においても、放射される光Ｌによって電線２００や電線２００の周囲が確実に照らされる結果、電線２００の配置状態を確実に把握することができる。また、このフレキシブルセンサ１および測定装置１００によれば、測定対象の電線２００に隣接して他の電線２００が配置されている場合において、隣接する他の電線２００をかき分けつつ、他の電線２００との間に先端部２ｂを通す際に、先端部２ｂから放射される光Ｌによって先端部２ｂの位置を容易に把握することができる。したがって、このフレキシブルセンサ１および測定装置１００によれば、電線２００の周囲をセンサケーブル２で取り囲む作業を効率よく、しかも容易に行うことができる。
【００４３】
また、このフレキシブルセンサ１および測定装置１００によれば、連結機構３に配設された光源４１と、光源４１とセンサケーブル２の先端部２ｂとの間に配設されて光源４１からの光Ｌを先端部２ｂに誘導するライトガイド４２（光ファイバ）とを備えて光放射部４を構成したことにより、例えば、センサケーブル２の先端部２ｂに光源を配設するスペースが確保できない場合（つまり、センサケーブル２の先端部２ｂが小形の場合）においても、連結機構３に配設した光源４１からの光Ｌを先端部２ｂから前方に向けて放射させることができる。したがって、このフレキシブルセンサ１および測定装置１００によれば、センサケーブル２の先端部２ｂが小形の場合においても、電線２００の周囲をセンサケーブル２で取り囲む作業を効率よく、しかも容易に行うことができる。
【００４４】
なお、フレキシブルセンサおよび測定装置の構成は、上記した構成に限定されず、適宜変更が可能である。例えば、図７，８に示すように、上記した光放射部４に代えて、光放射部４Ａ（第１光放射部）を有するフレキシブルセンサ１Ａ、およびそのフレキシブルセンサ１Ａを備えた測定装置１００を採用することもできる。なお、以下の説明において、上記したフレキシブルセンサ１と同じ構成要素については、同じ符号を付して、重複する説明を省略する。この場合、光放射部４Ａは、同図に示すように、光源４５および電源線４６を備えて構成されている。
【００４５】
光源４５は、一例として、ＬＥＤで構成されて、図７に示すように、嵌合部材２１の先端面２１ｃに形成されている嵌め込み孔２１ｄに嵌め込まれた状態で、先端部２１ａに配設されて、先端部２１ａ（センサケーブル２の先端部２ｂ）から前方に向けて光Ｌを放射する。電源線４６は、光源４５に対して電源を供給する電線であって、図７，８に示すように、センサケーブル２の内部に配設されると共に、ケーブル５０の電源線に接続されている。この光放射部４Ａを有するフレキシブルセンサ１Ａ、およびそのフレキシブルセンサ１Ａを備えた測定装置１００においても、センサケーブル２の先端部２ｂから前方に向けて光Ｌを放射することができるため、上記したフレキシブルセンサ１および測定装置１００が有する効果と同様の効果を実現することができる。また、このフレキシブルセンサ１Ａ、およびフレキシブルセンサ１Ａを備えた測定装置１００では、ライトガイド４２をセンサケーブル２の内部に配設することなく、ライトガイド４２よりも細い電源線４６をセンサケーブル２の内部に配設する構成のため、センサケーブル２が細く、ライトガイド４２をセンサケーブル２の内部に配設するのが困難な場合においても、センサケーブル２の先端部２ｂ（嵌合部材２１の先端部２１ａ）に配設された光源４５を発光させて光Ｌを先端部２ｂから前方に向けて放射させることができる。したがって、このフレキシブルセンサ１Ａ、およびフレキシブルセンサ１Ａを備えた測定装置１００によれば、センサケーブル２が細い場合においても、電線２００の周囲をセンサケーブル２で取り囲む作業を効率よく、しかも容易に行うことができる。
【００４６】
また、この光放射部４Ａを採用するときには、図８に示すように、連結機構３の嵌合部３１に嵌合部材２１が挿入されていないとき（嵌合部材２１と嵌合部３１とが非嵌合状態のとき）に光源４５に対して電源を自動的に供給させ（光放射部４Ａに光Ｌを放射させ）、嵌合部３１に嵌合部材２１が挿入された（嵌合部材２１と嵌合部３１とが嵌合した）ときに光源４５に対する電源の供給を自動的に停止させる（光放射部４Ａによる光Ｌの放射を停止させる）スイッチ６（切替部）を連結機構３内に配設する構成を採用することもできる。この構成によれば、センサケーブル２の基端部２ａおよび先端部２ｂが連結して（嵌合部材２１と嵌合部３１とが嵌合して）センサケーブル２による被検出量の検出が開始されるときに、センサケーブル２内に配設された電源線４６を介して光源４５に対して電源が供給されることによる被検出量の検出に対するノイズ等の影響を確実に回避することができる。また、この構成によれば、フレキシブルセンサ１Ａ（光源４５）の消費電力を十分に低減させることができる。なお、光源４５に対する電源の供給、および供給停止を手動で行うスイッチを備えた構成を採用することもできる。
【００４７】
また、上記したフレキシブルセンサ１においても、嵌合部材２１と嵌合部３１との嵌合状態および非嵌合状態に応じて光源４１に対する電源の供給（光放射部４による光Ｌの放射）および供給停止（光放射部４による光Ｌの放射の停止）を自動的に行うスイッチや、光源４１に対する電源の供給および供給停止を手動で行うスイッチを備えた構成を採用することもできる。
【００４８】
また、上記した光放射部４，４Ａでは、光源４１，４５としてＬＥＤを用いているが、白熱灯、蛍光灯、ハロゲンランプおよびＥＬランプ等のＬＥＤ以外の各種の光源を用いることができる。
【００４９】
また、センサケーブル２の内部にライトガイド４２や電源線４６を配設した例について上記したが、ライトガイド４２や電源線４６をセンサケーブル２の外部に配設する構成を採用することもできる。
【００５０】
さらに、センサケーブル２の基端部２ａ側および連結機構３の少なくとも一方から光を放射する第２光放射部を備えた構成を採用することもできる。一例として、図１に破線で示す第２光放射部としての光放射部５ａ，５ｂのいずれか一方または双方を備えた構成を採用することができる。この構成によれば、電線２００の配置場所が暗い場合においても、第２光放射部から放射される光によってセンサケーブル２の基端部２ａ側や連結機構３の位置を確実に把握することができるため、センサケーブル２の基端部２ａと先端部２ｂとの連結や連結解除を容易に行うことができる。この場合、第２光放射部による光の放射および光の放射の停止を、自動または手動で行うスイッチを備えた構成を採用することもできる。なお、光放射部５ａ，５ｂは、ＬＥＤ等の光源だけで構成することもできるし、光源と導光材とを備えて構成することもできる。
【００５１】
また、図９に示すように、光放射部７（第３光放射部）を備えた構成を採用することもできる。この光放射部７は、センサケーブル２における長さ方向の予め決められた範囲（この例では、基端部２ａから先端部２ｂに至る長さ方向の全域）の外周面２ｃから側方に向けて（外周面２ｃの周囲に向けて）光を放射可能に構成されている。一例として、光放射部７は、光源７１と導光材７２とを備えて構成されている。光源７１は、例えばＬＥＤで構成されて、連結機構３内に配設され、ケーブル５０の電源線を介して供給される電源によって発光して光を発する。導光材７２は、一例として、柔軟性を有するシート状に形成されたフレキシブル導光シートで構成されている。この場合、この光放射部７では、同図に示すように、センサケーブル２の基端部２ａから先端部２ｂに至る長さ方向の全域に亘って（ほぼ一周に亘って）、センサケーブル２の外周面２ｃに導光材７２が配設されている。また、導光材７２は、一端部（基端部２ａ側の端部）から入射した光源７１からの光を、他端部（先端部２ｂ側の端部）に誘導すると共に、誘導する過程で光を表面から外側（つまり、センサケーブル２の外周面２ｃから側方）に向けて放射する。
【００５２】
なお、連結機構３内に光源７１を配設する上記した光放射部７の構成に代えて、嵌合部材２１内に光源７１を配設する構成を採用することもできる。また、上記した光放射部４（第１光放射部）の光源４１や光放射部４Ａの光源４５を光放射部７の光源として用いる（つまり、光放射部４，４Ａの光源と光放射部７の光源とを兼用する）構成を採用することもできる。また、センサケーブル２の長さ方向の一部の範囲（予め決められた範囲）における外周面２ｃにのみ導光材７２を配設する構成を採用することもできる。また、センサケーブル２の長さ方向の予め決められた範囲の外周面２ｃに、センサケーブル２の長さ方向に沿って配設した複数の光源で光放射部７を構成することができる。この場合、光放射部７による光の放射および光の放射の停止を、自動または手動で行うスイッチを備えた構成を採用することもできる。
【００５３】
この光放射部７を備えた構成によれば、センサケーブル２の外周面２ｃから光が放射されるため、電線２００の配置場所が暗い場合においても、センサケーブル２の位置を確実に把握することができる。また、測定対象の電線２００に隣接して他の電線２００が配置されている（複数の電線２００が入り組んでいる）場合において、センサケーブル２がどこを通っているかを確実に把握することができる。したがって、この構成によれば、電線２００の周囲をセンサケーブル２で取り囲む作業をさらに効率よく、しかもさらに容易に行うことができる。
【符号の説明】
【００５４】
１，１Ａ  フレキシブルセンサ
２  センサケーブル
２ａ  基端部
２ｂ  先端部
２ｃ  外周面
３  連結機構
４，４Ａ  光放射部
５ａ  光放射部
５ｂ  光放射部
６  スイッチ
７  光放射部
４１  光源
４２  ライトガイド
４５  光源
４６  電源線
６０  測定部
７１  光源
７２  導光材
１００  測定装置
２００  電線
Ｌ  光
【図１】
0006462320.tif 000002
【図２】
0006462320.tif 000003
【図３】
0006462320.tif 000004
【図４】
0006462320.tif 000005
【図５】
0006462320.tif 000006
【図６】
0006462320.tif 000007
【図７】
0006462320.tif 000008
【図８】
0006462320.tif 000009
【図９】
0006462320.tif 000010